(57)【要約】【課題】デザインを向上して高級感を付与し、商品価値を高めるファイル表紙を提供する。【解決手段】芯材５の一方の面に表装材６を、また、他方の面に裏貼り材７を貼り合わせてなる表紙材１で、表表紙２と背部３及び裏表紙４とが連続して一体形成され、前記両表紙２，４を閉じることにより前記背部３が湾曲状に形成されるように構成したファイル表紙であって、表紙材１の背部３が構成される部位における芯材５の表装材６側の面に、芯材５の上縁から下縁にかけて所定深さの所望本数の切込線８…８を、所定の間隔で平行に施す。【選択図】　　　　　　　図２
2004090602.tif 000002
【特許請求の範囲】
【請求項１】
芯材の一方の面に表装材を、また、他方の面に裏貼り材を貼り合わせてなる表紙材で、表表紙と背部及び裏表紙とが連続して一体形成され、前記両表紙を閉じることにより前記背部が湾曲状に形成されるように構成したファイル表紙であって、
前記表紙材の前記背部が構成される部位における前記芯材の表装材側の面に、芯材の上縁から下縁にかけて所定深さの所望本数の切込線を、所定の間隔で平行に施してなることを特徴とする、
ファイル表紙。
【請求項２】
前記芯材は板紙材で構成されていることを特徴とする、請求項１記載のファイル表紙。
【請求項３】
前記切込線は前記芯材の肉厚の約６５％〜約８５％の深さに形成されていることを特徴とする、請求項１又は２記載のファイル表紙。
【発明の詳細な説明】
【０００１】
【発明の属する技術分野】
本発明は各種の文章や用紙、或いはアルバム台紙その他の書類等を綴じ込んで整理保管等に使用するファイル表紙、さらに詳しくは表表紙と背部及び裏表紙とからなり、前記背部が湾曲状に形成されて二つ折りに閉じられるファイル表紙に関するものである。
【０００２】
【従来の技術】
背部を湾曲状に形成したファイル表紙（一般に背丸ファイル表紙、或いは背丸バインダー表紙と称されている）は、見開きがよいと共に書き入れし易い等の長所があり、従来より各種の書類等の綴込ファイル等として採用されている。
【０００３】
従来、この種のファイル表紙として、例えば図９に示すものが一般に知られている。この従来例（従来例１）は図９ａに示すように、略半円管状に形成した背部構成材６１（一般にクータと称している）と、表表紙構成材６２と、裏表紙構成材６３をボール紙やプラスチックその他の素材で作成する。そして、図９ｂに示すように、背部構成材６１の両側に表表紙構成材６２及び裏表紙構成材６３の一端側を当接し、この状態で前記三者６１，６２，６３の内側面に薄いボール紙等６４を接着して前記三者６１，６２，６３を連結し、これにより、表表紙６２ａと背部６１ａ及び裏表紙６３ａとからなり、背部６１ａが湾曲状に形成されていると共に前記三者６１，６２及び６３の接合部にヒンジ部６５，６５が形成されたファイル表紙を製造している。しかし、従来例１は製造に手間が掛かると共にヒンジ部が弱く、破損する問題を有している。また、前記三者６１，６２，６３をボール紙等６４で接着して連結してなるものであるため、外観上の問題を有している。
【０００４】
従来のファイル表紙として、従来例１と同様に構成した背部構成材６１と表表紙構成材６２及び裏表紙構成材６３を作成し、背部構成材６１の両側に表表紙６２及び裏表紙構成材６３の一端側を当接し、この状態で前記三者６１，６２及び６３の表面全体にクロース製の表装材を貼り合わせると共に前記三者の裏面全体にクロース製の裏貼り材を貼り合わせて三者を連結し、これにより、表表紙と背部及び裏表紙とからなり、背部が湾曲状に形成されていると共に前記三者の接合部にヒンジ部に前記クロースで構成したヒンジ部が形成されたファイル表紙（従来例２）がある。この従来例２によれば、従来例１と比べ外観上においては体裁が良くなる。しかし、従来例２についても製造に手間取ると共に、ヒンジ部が軟弱で使用し難い等の問題を有している。
【０００５】
上記のような問題を解決する目的で、一枚の長方形状の表紙材の中央部に所定の間隔を存して二条の平行な折り曲げ用のヒンジ部を形成すると共に湾曲状に形成した背部をもつファイル表紙を製造する方法が試みられている。その一例として、湾曲凹形状に形成した雌型と湾曲凸形状に形成した雄型を備えるプレス成形機を用い、表紙材（この表紙材には筋押機を用いて二条の平行な折り曲げ用のヒンジ部を形成してある）の背部となる部位（前記ヒンジ部間の中央部）を位置させて加熱しながら加圧してプレス加工する方法が試みられている（未公開）。
【０００６】
上記プレス成形機による方法（先行技術１）により、背部を湾曲状に形成したファイル表紙を製造することが一応可能になる。しかし、単に加熱しながら加圧して表紙材の背部を湾曲状に形成する方法によると、型から外した時に、湾曲状態の戻り現象が生じ易く、そのため、湾曲形成した背部の形状を維持させることができない問題を有している。
【０００７】
そこで、本発明者らは、上述した先行技術１の問題を解決したファイル表紙の製造技術を本発明に先立って開発（未公開）した。この先行技術（先行技術２）につき図６ないし図８を参照して説明する。この先行技術２はプレス型の成形機７０を使用して表紙材の所定部に湾曲状の背部を形成するものである。成形機７０は図７に概要が開示されているように、プレス機本体７１と高周波発振器７２とを備えている。
【０００８】
プレス機本体７１は加工テーブル７３上に設置され、湾曲凹形状に形成した雌型７４と、取付部材７５に取付けて雌型７４の上方に対峙して設け、雌型７４と対応して湾曲凸形状に形成した雄型７６を備え、雄型７６は絶縁体７７を介して取付体７５ａに固定され、プレス機本体７１の昇降駆動部７８に鉛直方向に昇降自在に装着されている。
【０００９】
前記雌型７４にはヒーター７９が設けてあり、このヒーター７９で雌型７４を加熱するように構成してある。前記テーブル７３の適当部にはプレス駆動用スイッチ８０及びヒーター制御盤８１が設けてある。制御盤８１にはヒーター７９の電源スイッチ８２及びヒーターの加熱温度、加熱時間等を調整制御する制御部８３が設けてある。
【００１０】
前記プレス機本体７１の昇降駆動部７８にはプレス制御盤８４が設けてある。この制御盤８４は電源スイッチのＯＮ，ＯＦＦを制御すると共に加圧力、加圧時間等を調整制御するものである。
【００１１】
前記高周波発振器７２は固定部８５に設置して設けてある。発振器７２には電源スイッチ８６、周波数調整制御部８７、高周波発振制御部８８等が設けてある。前記発振器７２は真鍮板その他の良導体８９で雄型７６に接続され、良導体８９を通して雄型７６へ高周波を発振するように構成されている。前記発振器７２で発振する高周波の周波数は、例えば、約３５ＭＨｚ（メガヘルツ）〜約５０ＭＨｚ（メガヘルツ）程度の範囲を挙げることができ、この範囲内で任意に調整可能に構成されている。
【００１２】
表紙材９０は所望サイズの長方形状に形成され、図７ｂに示すように、芯材９１の一方の面に表装材９２を、また、他方の面に裏貼り材９３を接着その他の手段により貼り合わせてなっている。前記芯材９１は適当な厚さのボール紙等の板紙材で構成されている。
【００１３】
次に先行技術２のファイル表紙の製造方法につき説明する。まづ、図８に示すように、表紙材９０の中央部に所望の間隔で二本の折り曲げ用のヒンジ部９４，９５を表紙材９０の上縁から下縁にかけて施す。前記両ヒンジ部９４，９５は図示しない筋押機等を用いて従来と同様の方法で施すことができる。これにより、表紙材９０には中央部に所望の巾の背部構成部９６を、また、その左右両側に表表紙９７及び裏表紙７８がヒンジ部９４，９５を介して形成される。
【００１４】
次いで、プレス機本体７１及び発振器７２の制御部等を調整する。そして、ヒーターの電源スイッチ８２及び発振器７２の電源スイッチ８６をＯＮにし、図７ａに示すように、表紙材９０の背部構成部９６を雌型７４と雄型７６との間に位置させて表紙材９０を雌型７４上に載置した後、プレス駆動スイッチ８０をＯＮにする。これにより、雄型７６が下降して背部構成部９６を加熱、加圧により湾曲状にプレス加工して湾曲状の背部９６ａ（図７ｂ参照）が形成され、背部９６ａには高周波が付与されて背部９６ａの湾曲形状を安定して維持させる。
【００１５】
上記工程により、湾曲状に形成した背部９６ａの左右両側にヒンジ部９４，９５を介して表表紙９７及び裏表紙９８が形成された背丸ファイル表紙１００が製造される。この先行技術２によれば、背部９６ａは湾曲形状を安定して維持できるので、これにより、先行技術１について説明した問題点を解消することができる。
【００１６】
しかしながら、先行技術２においても次のような点において改良すべき問題が残されている。即ち、先行技術２のファイル表紙１００は背部９６ａの両側に筋状のヒンジ部９４，９５が形成されているため、これがファイル表紙のデザインを損ね、その結果、このファイル表紙は、いわゆる文房具的感覚を呈している。また、前記ファイル表紙１００は開いたときも背部９６ａは湾曲形状を維持しているので、筆記する際に安定性が悪い問題を有している。
【００１７】
【発明が解決しようとする課題】
本発明は上記のような実情に鑑み、外観をスマート化してデザインを向上し、高級感を付与して商品価値を高め、閉じた際に背部が湾曲状に形成されると共に開いた際に平板状に形成されるファイル表紙を提供することを目的とするものである。
【００１８】
【課題を解決するための手段】
前記目的を達成するため、本発明は芯材の一方の面に表装材を、また、他方の面に裏貼り材を貼り合わせてなる表紙材で、表表紙と背部及び裏表紙とが連続して一体形成され、前記両表紙を閉じることにより前記背部が湾曲状に形成されるように構成したファイル表紙であって、前記表紙材の前記背部が構成される部位における前記芯材の表装材側の面に、芯材の上縁から下縁にかけて所定深さの所望本数の切込線を、所定の間隔で平行に施してなることを特徴とする。なお、この明細書において「ファイル表紙」とは、おおむね記録済みの文書等（伝票、カタログ、書類など）を綴じ、又は、挟み入れて整理、保管する表紙（これを「ファイル」と定義されている）、及びおおむね未記録の綴じ穴のある用紙（ルーズリーフ、帳票など）を綴じ込み、書き入れ等、記録できる綴じ具付き表紙（これを「バインダー」と定義されている）の両方を含む概念として用いられている。
【００１９】
本発明によれば、ファイル表紙の背部が位置する部位における芯材には前記切込線が施されているため、両表紙を二つ折りする方向へ軽く力を加えるだけで前記各切込線がＶ字状に拡がるように作用する。したがって、ファイル表紙を閉じると背部は略半円形の湾曲状に形成されて表表紙及び裏表紙が二つ折りされる。また、前記両表紙を開くと背部は扁平状の形状に復帰する。したがって、ファイルを開くことによりファイル表紙は平板状になる。
【００２０】
上記のように、本発明によればファイルを閉じることにより背部は湾曲状に形成され、また、ファイルを開くことにより平板状になる。そして、本発明は先行技術のように背部に筋状のヒンジ部が形成されてなく、外観がスマート化されてデザイン及び機能美が向上されるので、高級感が付与されて商品価値が高められる。
【００２１】
本発明において、前記芯材としては、例えばボール紙等の板紙材で構成することができる。また、前記切込線の深さは特に限定するものではないが、例えば前記芯材の肉厚の約６５％〜約８５％程度の範囲に形成することができる。
【００２２】
【発明の実施の形態】
以下、図面を参照して本発明の実施の形態の一例を説明する。
【００２３】
図１は本発明のファイル表紙の一実施の形態を示す図であって、同図ａは両表紙を閉じた状態を示す斜視図、同図ｂは両表紙を開いた状態を示す斜視図、図２は同上ファイル表紙の要部を拡大して示す図であって、同図ａは両表紙を閉じた状態を、また、同図ｂは両表紙を開いた状態を示す横断面図、図３は同上ファイル表紙の製造工程を示す説明図、図４は同上ファイル表紙の背部構成部の作用を説明するために示す説明図である。
【００２４】
上記図１〜図４において、この実施の形態のファイル表紙は、表紙材１で表表紙２と背部３及び裏表紙４とが連続して一体に形成されてなっている。
【００２５】
前記表紙材１は所望のサイズの長方形状に形成され、芯材５の一方の面に表装材６を、また、他方の面に裏貼り材７を接着その他の手段により貼り合わせてなっている。前記芯材４の素材は特に限定されるものではないが、例えばボール紙等の板紙材で構成することができる。また、芯材４の肉厚の寸法はファイル表紙の大きさ等に応じて適当に決定する。
【００２６】
前記表装材６及び裏貼り材７の素材は特に限定するものではないが、特に表装材６については多少の伸縮性を有する材質を選択して採用するのが好ましく、例えば皮革、合成皮革、或いはクロース材等を挙げることができる。また、裏貼り材７については前記例示した素材以外に薄紙材等を採用することもできる。
【００２７】
前記表紙材１の前記背部３が構成される部位（図において中央部分）における前記芯材５の表装材６側の面には、芯材５の上縁から下縁にかけて所定深さの所望本数の切込線８…８が、所定の間隔で平行に施されている。これにより、芯材５を二つ折りすると、この外力で各切込線８がＶ字状の溝８ａを形成して拡がるように作用する。したがって、芯材５は前記切込線８の施されている部位が略半円形状に湾曲して折り曲げられる（図４ｂ参照）。この状態から芯材５を開くと湾曲状に折り曲げられている部位は扁平状（平板状）に復帰するようになっている。
【００２８】
前記切込線８の深さは芯材の紙質や肉厚等に応じて適当に決定するものであるが、例えば芯材５の肉厚Ｗ（図４ａ参照）の約６５％〜約８５％程度の範囲を挙げることができる。前記各切込線８間の間隔は表紙材１のサイズ等に応じて決定できるものであるが、例えば約１ミリ〜約６ミリ間隔程度に設定することができる。また、前記切込線８を施す巾、つまり、一方の最外側に位置する切込線８から他方の最外側に位置する切込線８までの長さ（寸法）は表紙材１のサイズ等に応じて適当に決定する。前記切込線８が施されている前記巾により背部３の曲率が決定される。
【００２９】
次に前記ファイル表紙の製造方法の一例につき説明する。図３ａに示すように、芯材５の所定部に所望本数の前記切込線８…８をカッター（図示せず）その他の任意の手段で施す。そして、図３ｂに示すように、芯材５の一方の面（切込線８が施されている面）に表装材６を、また、他方の面に裏貼り材７を接着その他の手段により貼り合わせる。これにより、中央部に所望巾の背部３を、また、その左右両側に表表紙２及び裏表紙４とするファイル表紙が製造される。
【００３０】
この実施の形態のファイル表紙は上記のように構成したもので、ファイル表紙を閉じることにより背部３は略半円形の湾曲状に形成される。この際、各切込線８は前記したようにＶ字状に拡がるが、この拡がり分に対応し、表装材６が伸長して吸収する。また、ファイル表紙を開くことにより背部３は扁平状の形状に復帰するのでファイルファイル表紙は平板状になる。
【００３１】
図５は前記ファイル表紙を使用して綴込ファイルを構成した一例を開示するものである。即ち、図５に開示した例では、ファイル表紙の裏表紙４の内側面に所望の綴じ具９を止めビス１０等で固定し、綴込ファイル２０を製造したものである。なお、綴じ具９は背部３の内側面その他の部位に固定して綴込ファイルを構成できること勿論である。
【００３２】
【発明の効果】
本発明によれば、ファイル表紙を閉じることにより円滑かつ整然と背部が湾曲状に形成され、ファイル表紙を開くことにより背部は扁平に復帰してファイル表紙が平板状になる。また、外観をスマート化してデザインを向上し、高級感を付与して商品価値を高めることができる。
【図面の簡単な説明】
【図１】本発明のファイル表紙の一実施の形態を示す図であって、同図ａは両表紙を閉じた状態を示す斜視図、同図ｂは両表紙を開いた状態を示す斜視図。
【図２】同上ファイル表紙の要部を拡大して示す図であって、同図ａは両表紙を閉じた状態を示す横断面図、同図ｂは両表紙を開いた状態を示す横断面図。
【図３】同上ファイル表紙の製造工程を示す説明図であって、同図ａは芯材に切込線を施す工程を示す説明図、同図ｂは芯材に表装材及び裏貼り材を貼り合わせる工程を示す説明図。
【図４】同上ファイル表紙の背部構成部の作用を説明するために示す図であって、同図ａは両表紙を開いた状態を示す説明図、同図ｂは閉じた状態を示す説明図。
【図５】同上ファイル表紙を使用して製造した綴込ファイルの一例を示す図であって、同図ａは開いた状態を示す平面図、同図ｂは側面図。
【図６】先行例の背丸ファイル表紙を示す斜視図。
【図７】図６に示すファイル表紙を製造する工程を示す説明図であって、同図ａは表紙材の背部となる部位を湾曲状に成形加工する工程を示す説明図、同図ｂは同図ａの工程により製造されたファイルの一部を示す説明図。
【図８】図６に示すファイル表紙を構成する表紙材の所定部を筋押して折り曲げ用のヒンジ部を形成する工程を示す説明図。
【図９】従来の背丸ファイル表紙を示す説明図であって、同図ａはファイル表紙を構成する構成材を示す説明図、同図ｂはファイル表紙の製造工程を示す説明図。
【符号の説明】
１…表紙材、２…表表紙、３…背部、４…裏表紙、５…芯材、６…表装材、７…裏貼り材、８…切込線
【図１】
2004090602.tif 000003
【図２】
2004090602.tif 000004
【図３】
2004090602.tif 000005
【図４】
2004090602.tif 000006
【図５】
2004090602.tif 000007
【図６】
2004090602.tif 000008
【図７】
2004090602.tif 000009
【図８】
2004090602.tif 000010
【図９】
2004090602.tif 000011